(57)【要約】【課題】  清掃用品を確実に保持して安定した清掃ができ、且つ狭い場所も効果的に清掃できる清掃用保持具を得る。【解決手段】  清掃用保持具１は保持ヘッド２と把持柄３を有している。保持ヘッド２は楕円形の弾性保持体２と、剛性の高い支持体４とを有し、把持柄３は支持体４に連結されている。弾性保持体２と支持体３は、所定の縦横比と面積比を有して形成されている。よって清掃用品２０を装着した状態で、安定した拭取りができ、弾性保持体５が自由に変形するため、狭い場所も有効に清掃できる。【選択図】    図１
2005087506.tif 000002
【特許請求の範囲】
【請求項１】
清掃用品を保持する保持ヘッドと、この保持ヘッドに連結された把持柄とを有する清掃用保持具において、
前記保持ヘッドは、弾性変形可能な材料で形成された弾性保持体と、前記弾性保持体の一方の面に固定された前記弾性保持体よりも硬質の支持体とを有し、前記支持体と前記把持柄とが連結され、前記弾性保持体の他方の面が清掃用品を押さえる押さえ面となっており、
前記支持体の外側の全域において前記支持体から前記弾性保持体が延出し、前記弾性保持体と前記支持体は、共に第１の一方向での最大寸法が、前記方向と直交する第２の方向での最大寸法よりも大きく、且つ前記第１の方向における前記支持体からの前記弾性保持体の延出寸法が、前記第２の方向における前記延出寸法よりも大きく、前記第１の方向における前記延出寸法が４０ｍｍ以上であることを特徴とする清掃用保持具。
【請求項２】
前記弾性保持体および支持体は、共に前記第２の方向の長さ寸法が第１の方向の長さ寸法の０．３倍以上である請求項１記載の清掃用保持具。
【請求項３】
前記支持体の面積が、保持ヘッド全体の面積の０．１３倍以上で０．６８倍以下である請求項１または２記載の清掃用保持具。
【請求項４】
前記弾性保持体の前記押さえ面を水平に向けて、前記支持体の位置を変えることなく、前記弾性保持体の前記第１の方向に向く端部を垂直方向へ３０ｍｍ持上げるのに要する力が１．０Ｎ以上で２０．０Ｎ以下である請求項１ないし３のいずれかに記載の清掃用保持具。
【請求項５】
前記弾性保持体には、第１の方向に向く両端から中心部に向かう切り込み、および前記切り込みで分離された複数の保持爪が形成されている請求項１ないし４のいずれかに記載の清掃用保持具。
【発明の詳細な説明】
【技術分野】
【０００１】
本発明は、不織布、繊維の束、布、糸、紙などで形成された清掃用品を保持する保持ヘッドを備えた清掃用保持具に係り、特に、前記保持ヘッドが自由に変形できる清掃用保持具に関する。
【背景技術】
【０００２】
従来、不織布、繊維の束、布、糸、紙あるいはこれらの素材を組み合わせて形成された清掃用品が使用されている。また、前記清掃用品を保持する清掃用保持具として、把持柄の先に保持ヘッドが設けられたものが一般に使用されている。清掃用品は前記保持ヘッドに装着され、前記保持ヘッドで前記清掃用品が床面などの被清掃物に押さえつけられ、保持ヘッドを動かすことにより、清掃用品で被清掃物の表面が拭かれる。
【０００３】
以下の特許文献１には、清掃用品であるモップを保持する装着プレートと、前記装着プレートに連結された把持柄とを有するモップ装着具が開示されている。この装着プレートは弾性係数の高い合成樹脂で形成されているが、この装着プレートの２箇所に透孔が形成されて湾曲変形可能な構造となっている。この装着プレートを湾曲変形させることにより、前記装着プレートの両側部を清掃用品であるモップの袋部分に挿入できるようにしている。
【０００４】
また、以下の特許文献２には、拭布が装着される保持板と、前記保持板に重ねられた支持板、および前記支持板に連結された把手を有する清掃具が開示されている。前記保持板には、長手方向に延びるヒンジ部と横方向に延びるヒンジ部とが薄肉で形成されており、保持板の周囲部分が前記ヒンジ部を境として折り曲がるように構成されている。前記保持版の周囲部分が折り曲がることにより、拭布を部屋の隅部等に沿わすことができるというものである。
【０００５】
次に、以下の特許文献３には、柄が連結された固定プレートと、この固定プレートの下面に固定された弾性体とを有し、前記弾性体に清掃シートが取り付けられるモップが開示されている。前記固定プレートは金属または硬質の合成樹脂で形成され、前記弾性体は、軟質ウレタンフォームや発泡ポリエチレンで形成されている。そして、前記弾性体が前記固定プレートの周縁より５〜３０ｍｍの範囲ではみ出すように構成されている。このはみ出し部を設けることにより、複雑な形の場所でも清掃でき、また被清掃面を傷つける心配がない、というものである。
【特許文献１】実願昭６１−１５５８７８号（実開昭６３−６２０６７号）のマイクロフィルム
【特許文献２】実願平２−８１１２９号（実開平４−４１３５３号）のマイクロフィルム
【特許文献３】実願昭６３−１３２６６０号（実開平２−５５８６３号）のマイクロフィルム
【発明の開示】
【発明が解決しようとする課題】
【０００６】
従来の清掃用保持具に設けられている前記保持ヘッドは、剛性の高い構造が一般的であるため、保持ヘッドそのものが自由に変形できず、家具の隙間内などの狭い場所や部屋の隅部を清掃するのに不便であった。
【０００７】
前記特許文献１に記載のものは、装着プレートが湾曲変形できるが、この湾曲変形は、装着プレートの両側部をモップの袋部分に挿入することができる程度であり、透孔の周辺は剛性が高いままである。そのため、装着プレートの周囲が硬くて変形できるものではなく、装着プレートを狭い場所に入り込ませることができず、また装着プレートに装着されたモップの側部を部屋の隅部に沿わせることが難しい。
【０００８】
前記特許文献２に記載のものは、保持板の周囲部分がヒンジ部を介して折り曲がるように変形するものであるため、周囲部分が折り曲がったときに拭布が撓んで拭布が保持板から外れやすくなる。また、床などの拭取りを行っているときに、保持板の周囲部分がヒンジ部を介して不用意に折り曲がりやすく、拭布が丸くなるなどして、確実な拭取りができないことがある。
【０００９】
前記特許文献３に記載のものは、固定プレートおよび清掃シート取り付け用の弾性体とから成り、前記弾性体は、固定プレートを床面などに押し付ける際に緩衝材として機能する。しかし、固定プレートの周縁からの前記弾性体のはみ出し寸法は３０ｍｍ以下とわずかである。弾性体の固定プレートからはみ出した部分が自由に変形するには十分な寸法を有していないため、狭い場所を清掃する際に弾性体の周囲部分が壁や家具の凹凸に追従するように変形できない。よって、固定プレートの前記端部によって家具などを傷つけるおそれがある。
【００１０】
また、弾性体が軟質な発泡材料で形成されているため、固定プレートからはみ出している弾性体が容易に変形しすぎて、固定プレートからはみ出ている弾性体によって清掃シートを被清掃物に十分な力で押し付けることができず、清掃効果も低下しやすい。
【００１１】
本発明は上記従来の課題を解決するものであり、清掃用品を保持する保持ヘッドが自由に変形でき、しかも安定した清掃作業ができる清掃用保持具を提供することを目的としている。
【課題を解決するための手段】
【００１２】
本発明は、清掃用品を保持する保持ヘッドと、この保持ヘッドに連結された把持柄とを有する清掃用保持具において、
前記保持ヘッドは、弾性変形可能な材料で形成された弾性保持体と、前記弾性保持体の一方の面に固定された前記弾性保持体よりも硬質の支持体とを有し、前記支持体と前記把持柄とが連結され、前記弾性保持体の他方の面が清掃用品を押さえる押さえ面となっており、
前記支持体の外側の全域において前記支持体から前記弾性保持体が延出し、前記弾性保持体と前記支持体は、共に第１の一方向での最大寸法が、前記方向と直交する第２の方向での最大寸法よりも大きく、且つ前記第１の方向における前記支持体からの前記弾性保持体の延出寸法が、前記第２の方向における前記延出寸法よりも大きく、前記第１の方向における前記延出寸法が４０ｍｍ以上であることを特徴とするものである。
【００１３】
この清掃用保持具は、支持体からの弾性保持体の延出寸法が、第１の方向において第２の方向よりも大きいため、清掃用品を保持した弾性保持体の前記第１の方向に向く端部を狭い場所に挿入したり、部屋の隅部に沿わせたときに、これらの場所に応じて弾性保持体が自由に変形し、この弾性保持体に保持された清掃用品を、前記各場所に押し付けやすくなる。また把持部は剛性の高い支持体に連結されているため、把持柄に与える押圧力が支持体に直接に作用して、この支持体で弾性保持部材を被清掃物に確実に押さえつけることができる。
【００１４】
本発明は、好ましくは、前記弾性保持体および支持体は、共に前記第２の方向の長さ寸法が第１の方向の長さ寸法の０．３倍以上である。
【００１５】
この範囲であると、第２の方向を前後に動かして清掃する際に、弾性保持体の縁部が反転するような変形が生じ難い。
【００１６】
また、本発明では、前記支持体の面積が、保持ヘッド全体の面積の０．１３倍以上で０．６８倍以下であることが好ましい。
【００１７】
前記面積比であると、支持体に与えられる力を、弾性保持体の縁部に確実に伝達できて、弾性保持体の縁部を被清掃物へ押さえつけることができる。
【００１８】
さらに、本発明は、前記弾性保持体の前記押さえ面を水平に向けて、前記支持体の位置を変えることなく、前記弾性保持体の前記第１の方向に向く端部を垂直方向へ３０ｍｍ持上げるのに要する力が１．０Ｎ以上で２０．０Ｎ以下であることが好ましい。
【００１９】
弾性保持体の剛性が前記数値の範囲内であると、第１の方向へ延出する弾性保持体によって清掃用品を被清掃物に十分な力で押し付けることができ、また弾性保持体が被清掃物の形状に沿って変形しやすい。
【００２０】
また、本発明は、前記弾性保持体には、第１の方向に向く両端から中心部に向かう切り込み、および前記切り込みで分離された複数の保持爪が形成されているものである。
【００２１】
この構成では、複数の保持爪で清掃用品が保持されるが、この保持爪はその全体が適度に弾性変形するものであるため、保持爪が被清掃面に倣って変形しやすく、また保持爪によって清掃用品がしっかり保持される。
【発明の効果】
【００２２】
本発明では、弾性保持体および支持体が共に第１の方向の寸法が第２の方向の寸法よりも長い形状であるため、第１の方向に向けて動かすときには狭い場所を清掃でき、第２の方向に向けて動かせば広い幅の領域を清掃できる。また、第１の方向に向く両端部において、弾性保持体の延出寸法が大きいため、この両端部において弾性保持体の変形量を大きくできる。
【００２３】
また、前記弾性保持体に、第１の方向に向く保持爪を形成しておくと、この保持爪を変形させて清掃用品に差し込むことができ、保持ヘッドに清掃用品を取り付けやすい。しかも清掃用品は複数の保持爪で保持されるため、清掃作業中に、清掃用品が保持ヘッドから脱落しにくい。
【発明を実施するための最良の形態】
【００２４】
図１は本発明の第１の実施の形態の清掃用保持具に、清掃用品が装着された状態を示す斜視図、図２は保持ヘッドの斜視図、図３は図２のＩＩＩ−ＩＩＩ線の断面図である。
【００２５】
図１と図２に示す清掃用保持具１は、保持ヘッド２と、この保持ヘッド２に連結された把持柄３とを有している。保持ヘッド２は、弾性保持体４と、この弾性保持体４の第１の面（上面）に固定された支持体５を有している。
【００２６】
弾性保持体４は、弾性変形可能でしかも清掃用品をしっかり保持できる剛性を有する弾性材料を用いて射出成形されたものが好ましく使用される。前記弾性材料は、ＰＰ（ポリプロピレン樹脂）、ＰＥ（ポリエチレン樹脂）、ＥＶＡ（エチレン・酢酸ビニル共重合体樹脂）、ＰＯＭ（ポリアセタール樹脂）、合成ゴムなどの合成樹脂材料、好ましくはエラストマー系の合成樹脂である。前記弾性材料として発泡ポリエチレンなどの発泡材料を使用することも可能であるが、清掃用品をしっかり保持するためには、発泡材料以外の合成樹脂材料を使用することが好ましい。
【００２７】
前記支持体５は、弾性保持体４よりも硬質で弾性保持体４よりも十分に高い剛性を有するように形成されて、清掃作業時において通常に作用する外力によって容易に変形できないものとなっている。前記支持体５は、例えば、ＡＢＳやＰＰなどの合成樹脂材料やＰＰなどの合成樹脂材料や、アルミニウムあるいはアルミニウム合金などの金属材料で形成されている。
【００２８】
弾性保持体４と支持体５は、接着、インサート成形、凹凸嵌合などにより互いに強固に固定されている。
【００２９】
図１に示すように、前記支持体５には支持突起６，６が一体に突出形成されており、この支持突起６，６には互いに同一線上に位置する支持穴６ａ，６ａが貫通して形成されている。前記支持突起６と支持突起６との間には、回動部材７が設けられ、回動部材７の両端部に形成された軸部７ａ，７ａが前記支持穴６ａ，６ａに回動自在に挿入されている。前記回動部材７には板部７ｂが一体に突出形成されており、この板部７ｂには、前記軸部７ａ，７ａの軸心と直交する方向に貫通する穴が形成されている。
【００３０】
前記把持柄３の先部は二股に分岐されて、前記板部７ｂを挟むように配置されており、把持柄３の先部に固定された軸８が前記板部７ｂに形成された穴に回動自在に挿通されている。よって、支持体５に対して把持柄３が各方向へ自由に倒れることができるようになっている。
【００３１】
図２に示すように、前記弾性保持体４は、第１の方向（Ｙ方向）の最大寸法Ｌ１が、前記第１の方向と直交する第２の方向（Ｘ方向）の最大寸法Ｗ１よりも大きく、弾性保持体４の平面形状は、楕円、または長円、あるいは楕円や長円に近似した形状である。また、支持体５も、第１の方向の最大寸法Ｌ２が第２の方向の最大寸法Ｗ２よりも大きく、支持体５の形状も、楕円、または長円、あるいは楕円や長円に近似した形状である。
【００３２】
弾性保持体４の第１の方向の最大寸法Ｌ１は、支持体５の第１の方向の最大寸法Ｌ２よりも大きく、弾性保持体４の第２の方向の最大寸法Ｗ１は支持体５の第２の方向の最大寸法Ｗ２よりも大きい。よって、弾性保持体４は、支持体５の周囲全周において前記支持体５よりも外側に延出している。
【００３３】
また、第１の方向（Ｙ方向）における支持体５の両端部からの弾性保持体４の最大延出寸法Ｌ３は、第２の方向（Ｘ方向）における支持体５の両側部からの弾性保持体４の最大延出寸法Ｗ３よりも大きい（Ｗ３＜Ｌ３）。また、第１の方向での前記最大延出寸法Ｌ３は、４０ｍｍ以上であり、５０ｍｍ以上であることが好ましい。前記最大延出寸法Ｌ３の上限は特に制限されないが、１２０ｍｍ以下程度であることが好ましい。
【００３４】
また前記第１の方向での最大延出寸法Ｌ３は、第２の方向での最大延出寸法Ｗ３の１．５倍以上が好ましく、さらに好ましくは２倍以上である。
【００３５】
前記弾性保持体４は、第１の方向（Ｙ方向）に向く両側の縁部から支持体５との境界部まで、それぞれ切り込み１１が形成されており、第１の方向に向く両側のそれぞれにおいて、前記切り込み１１で分離された保持爪１２と保持爪１３が形成されている。
【００３６】
この実施の形態では、前記切り込み１１，１１が、第２の方向の幅寸法を二分するように、第１の方向（Ｙ方向）に延びる中心線に沿って形成されており、切り込み１１を挟んで対向する保持爪１２と保持爪１３は、平面形状が同じであり、且つ同じ面積で形成されている。またそれぞれの保持爪１２，１３は、第１の方向に向く縁部に向けて幅寸法が徐々に小さくなる形状である。
【００３７】
前記弾性保持体５はその全体において厚みが一定であってもよいし、図３に示すように、中央部分で厚み寸法が最大となり、第１の方向に向く縁部に向けて厚み寸法が徐々に小さくなる形状であってもよい。
【００３８】
図１に示す清掃用品２０は、使い捨て可能なモップであり、不織布、繊維の束、布、糸、紙のいずれか、あるいはこれらの素材を組み合わせて形成されている。清掃用品２０の一方の面には、不織布などの支持シート２１が設けられており、この支持シート２１は、清掃用品２０の全面を覆う面積を有している。
【００３９】
前記支持シート２１の表面には、Ｙ方向へ間隔を開けて保持シート２２が重ねられており、それぞれの保持シート２２と前記支持シート２１は、Ｙ方向中心線に沿う中央接合線２３，２３で接合されているとともに、それぞれの中央接合線２３の両側に間隔を開けて位置する側方接合線２４，２５で接合されている。その結果、支持シート２１とそれぞれの保持シート２２との間には、中央接合線２３と側方接合線２４とで挟まれた保持空間２６、および中央接合線２３と側方接合線２５とで挟まれた保持空間２７がそれぞれ形成されている。
【００４０】
前記清掃用保持具１の保持ヘッド２に清掃用品２０を装着するときは、それぞれの保持爪１２と１３を弾性変形させて、一方の側の保持爪１２を清掃用品２０の保持空間２６内へ、また保持爪１３を保持空間２７内へそれぞれ挿入する。同様にして他方の側の保持爪１２，１３を保持空間２６，２７に挿入する。
【００４１】
弾性保持体４を弾性変形させることで、一方の側の保持爪１２，１３と他方の側の保持爪１２，１３とを、保持空間２６，２７内に容易に挿入することができ、保持ヘッド２に対する清掃用品２０の装着と取り外しとが容易である。
【００４２】
また、保持爪１２と保持爪１３とで、中央接合線２３が挟み込まれるように構成すると、清掃用品２０を装着した状態で弾性保持体４が弾性変形しても、保持空間２６と２７から保持爪１２，１３が抜け出にくい。また、保持爪１２と保持爪１３を、切り込み１１の空間内で互いに接近するように変形させた状態で、保持空間２６および２７の内部に挿入できるように構成することもできる。この場合、保持空間２６，２７に挿入された後の保持爪１２と１３が互いに離れる方向へ弾性復元力を発揮し、保持爪１２が側方接合線２４を外側に向けて加圧し、保持爪１３が側方接合線２５を外側に向けて加圧するようになり、これによっても清掃用品２０から保持ヘッド２が脱落しにくくなる。
【００４３】
図２に示すように、前記保持爪１２と保持爪１３が、Ｙ方向の両側に向けて幅寸法が徐々に狭くなる形状であると、この保持爪１２と１３を保持空間２６と２７の内部に挿入しやすい。また、保持爪１２と保持爪１３とが先部に向かうにしたがって徐々に細くなる形状であると、保持爪１２と１３を保持空間２６と２７に差し込むときの力で、保持爪１２と保持爪１３とを互いに接近するように変形させやすくなる。したがって、前述のように保持爪１２と保持爪１３の弾性反発力を利用して清掃用品２０を保持するという機能を発揮しやすくなる。
【００４４】
このように、弾性保持体４がその全体において自由に変形できるため、保持ヘッド３に対する清掃用品２０の装着と取り外し作業が容易であり、しかも保持爪１２，１３の弾性力で清掃用品２０が保持されるため、保持ヘッド３が清掃用品２０から離脱しにくくなる。また、複数の保持爪１２，１３で中央接合線２３が挟まれるようにして、清掃用品２０が保持されているため、弾性保持体４に装着された清掃用品２０が、清掃中の力によって表裏を反転するように回転してしまうこともない。
【００４５】
清掃用保持具１に清掃用品２０を装着した状態で、清掃作業を行うときは、把持柄３が手で把持され、把持柄３に与えられる押圧力およびＸ方向やＹ方向への移動力が、把持柄３の先部から支持体５に与えられる。支持体５は剛性が高いため、前記押圧力は弾性保持体４に確実に伝達され、弾性保持体４の第２の面（下面：押さえ面）によって、清掃用品２０が床面などの被清掃物の表面に確実に押し付けられる。
【００４６】
保持ヘッド２を第１の方向（Ｙ方向）へ移動させると、清掃用品２０を家具と壁の隙間などの狭い領域内に入り込ませて清掃することができ、保持ヘッド２を第２の方向（Ｙ方向）へ移動させると、清掃用品２０の長さ寸法Ｌ１の範囲で、床などの広い領域を清掃することができる。
【００４７】
この清掃作業において、弾性保持体４全体が、支持体５の外側において変形変形するため、その弾性力で、清掃用品２０を壁や狭い隙間内に確実に押し付けることができる。また保持ヘッド２で被清掃物を傷つけることもない。特に第１の方向（Ｙ方向）において、弾性保持体４が４０ｍｍ以上の寸法Ｌ３で延出しているために、Ｙ方向の両側部において、弾性保持体４が変形しやすく、狭い場所の隅部や部屋の隅部に清掃用品２０を確実に押し付けることができる。また、弾性保持体４を被清掃物の凹凸や床面の窪みに対応させて変形させることが容易である。
【００４８】
さらに、前記の狭い場所などの内部において被清掃物の表面に凹凸が有ったり、清掃用品２０が家具の表面に乗り上がったような場合に、前記寸法Ｌ３で延びる弾性保持体４の部分で、切り込み１１で分離された保持爪１２と保持爪１３とが互いに独立して変形できるため、清掃用品２０を凹凸部分の表面などに追従させやすくなる。
【００４９】
また、弾性保持体４はその全体が変形するため、一部のみが極端に折り曲がることがない。よって、極端な折曲がりによって、清掃用品２０が保持爪１２，１３から脱落するようなことも生じ難い。特に、弾性保持体４が、ＰＰ，ＰＥ，ＰＯＭなどの合成樹脂材料またはポリエステル系のエラストマーなどのように、弾性変形でき且つ適度な剛性を有する材料で形成されていると、極端な曲がりが生じ難くなり、弾性保持体４で清掃用品２０を被清掃物に十分な圧力で押し付けることが可能になる。
【００５０】
前記弾性保持体４の剛性は、図７に示すように、清掃用品２０を装着することなく、弾性保持体４の第２の面を試験台４０の水平面に設置して、支持体５を動かないように固定し、弾性保持体４の第１の方向に向く両端を保持して、すなわち保持爪１２の先端と保持爪１３の先端を一緒に保持して、１００ｍｍ／ｍｉｎの速度で上方へ持上げる試験を行ったときに、前記先端の持上げ高さＨが３０ｍｍとなったときに要する力Ｆが１．０Ｎ以上で２０．０Ｎ以下であることが好ましい。さらに好ましくは３．０Ｎ以上で１０．０Ｎ以下である。
【００５１】
前記力Ｆが１．０Ｎ未満であると、弾性保持体４から清掃用品２０に与えられる圧力を大きくできず、清掃用品２０と被清掃物との摩擦が小さくなりすぎて、十分な清掃効果を期待できない。前記力Ｆが２０．０Ｎを超えると、弾性保持体２０が変形しにくくなる。
【００５２】
また、図２に示す寸法比、Ｗ１／Ｌ１とＷ２／Ｌ２は、共に０．３以上であることが好ましい。各寸法比の上限は１未満である。また、第１の方向（Ｙ方向）での弾性保持体４の延出寸法Ｌ３を、第２の方向での延出寸法Ｗ３よりも大きくし、しかも延出寸法Ｌ３を４０ｍｍ以上にするために、Ｗ１／Ｌ１とＷ２／Ｌ２の上限は０．７以下が好ましく、さらに好ましくは０．６以下である。
【００５３】
前記弾性保持体４の平面形状と支持体５の平面形状は可能な限り相似であることが好ましい。よって、Ｗ１／Ｌ１と、Ｗ２／Ｌ２との差が、０．２以下であることが好ましく、さらに好ましくは０．１以下である。
【００５４】
また、前記支持体５の面積をＳ２、保持ヘッド２全体の面積をＳ１としたときに、Ｓ２／Ｓ１が０．１３倍以上で０．６８倍以下であることが好ましい。
【００５５】
前記の弾性力を有する弾性材料を使用し、弾性保持体４と支持体５の縦横比および保持ヘッド２と支持体５との面積比を前記の範囲に設定すると、支持体５からの弾性保持体５の延出寸法および延出面積が適度となり、また延出した弾性保持体５の変形に要する力が適度になる。
【００５６】
よって、弾性保持体５が家具や壁に当たって変形したときに、弾性保持体５が過剰に変形することがなく、清掃用品２０を家具などに適度な力で押し付けることができる。また被清掃物に合わせて自由に変形できるため、凹凸部分を効果的に清掃できる。さらに弾性保持体５で家具などを傷つけたり、支持体４が直接に家具などに当たって傷つけるなどの問題が生じにくくなる。
【００５７】
また、弾性保持体４を形成する弾性材料の弾性力が前記範囲で、且つ保持ヘッド２と支持体５との面積比が前記の範囲であり、しかもＷ１／Ｌ１とＷ２／Ｌ２が共に０．３以上であると、Ｘ方向へ移動させて床面などを清掃しているときに、弾性保持体４がＸ方向へ向けて反転するように変形したり、または保持ヘッド２がＸ方向へ向けて反転するなどの問題が生じにくくなる。
【００５８】
図４（Ａ）（Ｂ）（Ｃ）は、清掃用保持具１に設けられる保持ヘッドの変形例を示す平面図である。
【００５９】
図４（Ａ）に示す保持ヘッド２Ａは、保持爪１２と保持爪１３とを分離している切り込み１１，１１の支持体５側の端部に、前記切り込み１１よりもＸ方向へ広がりを持つ拡開部１１ａが貫通して形成されている。よって、保持爪１２と保持爪１３とが互いに接近する方向へ弾性変形しやすくなっている。
【００６０】
図４（Ｂ）に示す保持ヘッド２Ｂは、保持爪１２と保持爪１３の外周に、それ自体が弾性変形可能なリブ状の凸部３２が形成されている。保持空間２６と２７の内部に挿入されたときに、前記凸部３２で側方接合線２４と２５が外側に向けて押されるようになり、清掃用品２０が脱落しにくくなる。
【００６１】
さらに図４（Ｂ）では、保持爪１２，１３の基部において、弾性保持体４にＸ方向に延びる薄肉部３１，３１が形成されて、保持爪１２，１３が変形しやすくなっている。
【００６２】
図４（Ｃ）に示す保持ヘッド２Ｃは、保持爪１２と保持爪１３に、その対向方向に隆起する凸部３３がそれぞれ形成されている。保持爪１２と１３が保持空間２６，２７に挿入されたときに、前記凸部３３で、中央接合線２３の部分が確実に挟持されるようになる。
【００６３】
図５は本発明の第２の実施の形態の清掃用保持具の保持ヘッド１０２を示す平面図である。
【００６４】
この保持ヘッド１０２の弾性保持体１０４は、全体がほぼ菱形形状であり、切り込み１１１で分離された保持爪１１２と保持爪１１３はほぼ三角形である。また、支持体１０５は、長円形または多角形である。
【００６５】
図６は第３の実施の形態の保持ヘッド２０２を示す平面図である。
この保持ヘッド２０２は、弾性保持体２０４の両側部２０６，２０６、および支持体２０５の両側部２０７，２０７が、Ｙ方向へ直線的に延びる部分を有している。そして、Ｙ方向に向く両端部では、先部に向かって幅寸法が徐々に狭くなる保持爪２１２と保持爪２１３が形成されている。
【実施例】
【００６６】
図２に示す、弾性保持体４と支持体５が共に楕円形状の保持ヘッド２を有する清掃用保持具１を試作した。弾性保持体４はポリエステル系エラストマーで形成した。弾性保持体４の最大厚みは２ｍｍであり、図７に基づいて測定した力Ｆが７．９Ｎであった。また支持体５はＡＢＳ樹脂で形成し、清掃時の押圧力ではほとんど弾性変形しないものを用いた。
【００６７】
清掃用品２０は、Ｙ方向の長さが２８０ｍｍで、Ｘ方向の長さが１５０ｍｍ、平均厚みが３ｍｍの不織布の積層体を使用した。
【００６８】
表１に示すように、保持ヘッド２の寸法Ｌ１とＷ１を変化させた。なお、支持体５はＬ２＝１００ｍｍ、Ｗ２＝４０ｍｍとした。また、Ｌ３を６５ｍｍとした。
【００６９】
フローリングの床面をＸ方向へ摺動させて清掃を行った。このときの安定性を○、△、×で評価した。比較例１では、保持ヘッド２がＸ方向へ反転し、実施例１では、保持ヘッド２がＸ方向へやや倒れそうな不安定さがあるが反転するには至らなかった。よってＷ１／Ｌ１は０．３以上が好ましく、さらに好ましくは０．３３以上である。
【００７０】
【表１】
2005087506.tif 000003
【００７１】
次に、表２に示すように、図２に示す寸法Ｌ１，Ｗ１，Ｌ２，Ｗ２のそれぞれを変化させ、Ｘ方向へ向けて清掃を行った。安定性評価は、○、△、×とした。表２から保持ヘッド２の面積Ｓ１に対する支持体５の面積Ｓ２の比は、０．１３以上で０．６８以下が好ましく、さらには０．２２以上であることが好ましい。
【００７２】
【表２】
2005087506.tif 000004
【図面の簡単な説明】
【００７３】
【図１】本発明の第１の実施の形態の清掃用保持具と、これに装着された清掃用品を示す斜視図、
【図２】保持ヘッドを示す斜視図、
【図３】図２のＩＩＩ−ＩＩＩ線の断面図、
【図４】（Ａ）（Ｂ）（Ｃ）はそれぞれ保持ヘッドの変形例を示す平面図、
【図５】本発明の第２の実施の形態の保持ヘッドを示す平面図、
【図６】本発明の第３の実施の形態の保持ヘッドを示す平面図、
【図７】弾性材料の試験方法の説明図、
【符号の説明】
【００７４】
１  清掃用保持具
２  支持体
３  把持柄
４  弾性保持体
５  支持体
１１  切り込み
１２，１３  保持爪
【図１】
2005087506.tif 000005
【図２】
2005087506.tif 000006
【図３】
2005087506.tif 000007
【図４】
2005087506.tif 000008
【図５】
2005087506.tif 000009
【図６】
2005087506.tif 000010
【図７】
2005087506.tif 000011